(57)【要約】【課題】シャッターチャンスを逃すこととなく、欲しい写真を望みの条件で撮影することができるカメラを提供する。【解決手段】カメラ１０の上面には複数のレリーズボタン１８Ａ、１８Ｂ、１８Ｃが設けられ、各レリーズボタン１８Ａ〜１８Ｃには、ユーザの選択に応じてそれぞれ異なる機能（撮影モードや撮影条件）を割り当てることができる。例えば、各レリーズボタン１８Ａ〜１８Ｃにそれぞれ「∞（無限遠）」、「５ｍ」、「１ｍ」のフォーカス位置（ピントの合う被写体距離）を設定しておく。設定情報はカメラ１０内のＥＥＰＲＯＭに記憶される。また、各ボタン１８Ａ〜１８Ｃに設定された機能の内容は機能表示部２２Ａ〜２２Ｃに表示される。撮影者は、撮影時にどのレリーズボタンを押すべきかを判断し、対応するレリーズボタンを押すだけで、意図する写真をスピーディに撮影できる。【選択図】　図３
2004053722.tif 000002
【特許請求の範囲】
【請求項１】
複数のレリーズボタンと、
各レリーズボタンに割り当てる機能をユーザが選択するための選択手段と、
前記選択手段の選択操作に従って前記各レリーズボタンに割り当てられた機能の情報を記憶する記憶手段と、
前記記憶手段に記憶された情報に従い、前記複数のレリーズボタンのうち操作されたレリーズボタンに対応する動作を実現するように制御する制御手段と、
を備えたことを特徴とするカメラ。
【請求項２】
各レリーズボタンに割り当てられた機能の内容を表示する表示手段と、
前記レリーズボタンに対応する機能の設定に応じて前記表示手段における表示内容を変更する表示制御手段と、
を具備したことを特徴とする請求項１記載のカメラ。
【請求項３】
複数のレリーズボタンを有したカメラにおいて、
各レリーズボタンにそれぞれ異なるフォーカス位置の設定、ストロボモードの設定、オートフォーカス（ＡＦ）モードの設定、シーンセレクトの設定、圧縮率の設定、画像サイズの設定、ＩＳＯ感度の設定、ホワイトバランスの設定、又は静止画と動画の記録モードの設定が割り当てられており、
前記複数のレリーズボタンのうち操作されたレリーズボタンに対応する設定に従って撮影動作が実行されることを特徴とするカメラ。
【発明の詳細な説明】
【０００１】
【発明の属する技術分野】
本発明はカメラに係り、特に複数のレリーズボタンを有しているカメラに関する。
【０００２】
【従来の技術】
特開平５−３１３２４７号公報には、レリーズボタンを２個備えたカメラが提案されている。これは横長画角撮影（横撮り）と縦長画角撮影（縦撮り）に対応してカメラの構え方でレリーズボタンを使い分けるものである。
【０００３】
【発明が解決しようとする課題】
しかしながら、上記従来のカメラにおいては、２つのレリーズボタンが同じ機能を持ち、カメラを構えた時に押しやすい方を操作するというものである。近年のカメラは、用途の多様化に対応して、全自動（フルオート）撮影モード、シャッター優先モード、絞り優先モード、マニュアルモード、ポートレートモード、風景モード、マクロモード、スポーツモード、夜景モードなど、多様な撮影モードを有している。その反面、撮影モードや撮影条件の設定の変更操作に時間を要し、一瞬のシャッターチャンスを逃してしまうこともある。
【０００４】
本発明はこのような事情に鑑みてなされたもので、シャッターチャンスを逃すこととなく、欲しい写真を望みの条件で撮影することができるカメラを提供することを目的とする。
【０００５】
【課題を解決するための手段】
前記目的を達成するために本発明に係るカメラは、複数のレリーズボタンと、各レリーズボタンに割り当てる機能をユーザが選択するための選択手段と、前記選択手段の選択操作に従って前記各レリーズボタンに割り当てられた機能の情報を記憶する記憶手段と、前記記憶手段に記憶された情報に従い、前記複数のレリーズボタンのうち操作されたレリーズボタンに対応する動作を実現するように制御する制御手段と、を備えたことを特徴とする。
【０００６】
すなわち、本発明のカメラは複数のレリーズボタンを備え、それぞれのレリーズボタンに異なる機能（撮影モードや撮影条件）を持たせることができる。各レリーズボタンにどのような機能を割り当てるかについてはユーザが自由に設定できる。ユーザは選択手段を操作して、各レリーズボタンに予め所望の機能を設定しておく。例えば、ユーザは良く使う撮影モードや撮影条件をセットしておく。レリーズボタンの設定情報（レリーズボタンに対応付けられた機能の情報）は、カメラ内の記憶手段に記憶される。この記憶手段にはＥＥＰＲＯＭなどの不揮発性記憶手段を用いる態様が好ましい。
【０００７】
レリーズボタンを押す瞬間（撮影時）にユーザは、撮影目的等に応じてどのレリーズボタンを押すべきかを判断し、対応するレリーズボタンを押す。レリーズボタンの押下により、当該レリーズボタンに割り当てられた機能に基づいて撮影が実施される。これにより、シャッターチャンスを逃すことなく、欲しい写真を望みの条件で撮影することができる。
【０００８】
本発明の一態様によれば、上記構成に加えて更に、各レリーズボタンに割り当てられた機能の内容を表示する表示手段と、前記レリーズボタンに対応する機能の設定に応じて前記表示手段における表示内容を変更する表示制御手段と、を具備したことを特徴とする。
【０００９】
レリーズボタンの機能をユーザが自由に選択できる構成であるため、各ボタンの機能を表示手段によってユーザに明示する態様が好ましい。
【００１０】
また、本発明の他の態様は、複数のレリーズボタンを有したカメラにおいて、各レリーズボタンにそれぞれ異なるフォーカス位置の設定、ストロボモードの設定、オートフォーカス（ＡＦ）モードの設定、シーンセレクトの設定、圧縮率の設定、画像サイズの設定、ＩＳＯ感度の設定、ホワイトバランスの設定、又は静止画と動画の記録モードの設定が割り当てられており、前記複数のレリーズボタンのうち操作されたレリーズボタンに対応する設定に従って撮影動作が実行されることを特徴とする。
【００１１】
複数のレリーズボタンにそれぞれ異なる機能を予め設定しておくことにより、撮影者はシャッターチャンスを逃すことなく、また、面倒なモード設定や条件設定などを行うことなく、意図する写真をスピーディに望みの条件で撮影することができる。
【００１２】
【発明の実施の形態】
以下添付図面に従って本発明に係るカメラの好ましい実施の形態について詳説する。ここでは、デジタルカメラを例に説明するが、銀塩カメラやインスタントカメラなど、画像記録方式を問わず、様々なカメラについて本発明を適用できる。
【００１３】
図１は本発明の実施形態に係るカメラの正面図、図２は上面図である。このカメラ１０は、被写体の光学像をデジタル画像データに変換してメモリカードなどの記録媒体に記録するデジタルカメラである。図１に示したように、カメラ１０の本体１１正面部には、撮影レンズ１２、光学ファインダー窓１４、及びストロボ（電子閃光装置）１６が設けられ、撮影レンズ１２の後方には、図示せぬＣＣＤ固体撮像素子が配設されている。ＣＣＤ固体撮像素子に代えて、ＭＯＳ型など他の方式の撮像素子を用いてもよい。
【００１４】
図２に示したように、カメラ１０上面には３つのレリーズボタン１８Ａ、１８Ｂ、１８Ｃと、電源スイッチ２０が設けられている。各レリーズボタン１８Ａ、１８Ｂ、１８Ｃは、ユーザの選択に応じてそれぞれ異なる機能（撮影モードや撮影条件）を割り当てることができる。
【００１５】
レリーズボタン１８Ａ、１８Ｂ、１８Ｃの近くには、各ボタンに割り当てられた機能を表示するための液晶表示部（以下、機能表示部という。）２２Ａ、２２Ｂ、２２Ｃが設けられている。機能表示部２２Ａ〜２２Ｃは、文字、記号、簡単な図像（絵文字）、或いはこれらの組合せによってレリーズボタン１８Ａ〜１８Ｃの機能情報を表示する手段であり、レリーズボタン１８Ａ〜１８Ｃに設定された機能に応じて各表示部２２Ａ〜２２Ｃの表示内容が変更される。なお、機能表示部２２Ａ〜２２Ｃは、それぞれ別々の表示器で構成されてもよいし、単一の表示器を用いて表示エリアを分割した構成であってもよい。
【００１６】
図３はカメラ１０の背面図である。カメラ１０の背面には、ファインダー２４、液晶モニタ２６、モード選択スイッチ２８、上／下レバー３０、左／右ボタン３２、キャンセルボタン３４、メニュー／ＯＫボタン３６、表示ボタン３８が設けられている。符号４０は、カメラ１０を持ちやすくするためのグリップ部である。
【００１７】
液晶モニタ２６は、撮影時に画角確認用の電子ファインダーとして使用できるとともに、記録済み画像を再生表示することができる。また、液晶モニタ２６は、ユーザインターフェース用表示画面としても利用され、必要に応じてメニュー情報や選択項目、設定内容などの情報が表示される。液晶モニタ２６に代えて、有機ＥＬなど他の方式の表示装置（表示手段）を用いることも可能である。
【００１８】
モード選択スイッチ２８は、カメラ１０の動作モードを切り換える操作手段である。モード選択スイッチ２８をスライド操作して「撮影モード位置」（図３上で左側の停止位置）で停止させると、カメラ１０は撮影モード（撮影を行って画像を記録するモード）に設定される。また、モード選択スイッチ２８を「再生モード位置」（図３上で右側の停止位置）で停止させると、カメラ１０は再生モード（撮影した画像の再生を行うモード）に設定される。
【００１９】
メニュー／ＯＫボタン３６は、メニュー画面の表示を指示するメニューボタンとしての機能と、選択内容の確定及び実行など指令するＯＫボタンとしての機能を兼備した操作ボタンである。キャンセルボタン３４は、選択項目など所望の対象の消去や指示内容の取消し、或いは１つ前の操作状態に戻らせる時などに使用される。
【００２０】
上／下レバー３０及び左／右ボタン３２は、上下左右の４方向の指示を入力する操作部であり、例えば、メニュー画面から項目を選択したり、各メニューから各種設定項目の選択を指示するボタン（カーソル移動操作手段）として機能する。また、上／下レバー３０は撮影時のズームスイッチ或いは再生時の再生ズームスイッチとして機能し、左／右ボタン３２は再生モード時のコマ送り（順方向／逆方向送り）ボタンとして機能する。なお、上／下レバー３０及び左／右ボタン３２に代えて、十字ボタンを用いてもよい。表示ボタン３８は、液晶モニタ２６のＯＮ／ＯＦＦ並びに再生方法や画面表示の有無（コマ番号等の情報の表示／非表示）を切り換えるための操作手段である。
【００２１】
図４は、レリーズボタン１８Ａ〜１８Ｃへの機能割り当てを実現する手段を例示したカメラ１０の要部ブロック図である。カメラ１０に搭載されているＣＰＵ４２は、所定のプログラムに従って本カメラシステムを制御する制御手段として機能するとともに、自動露出（ＡＥ）演算、自動焦点調節（ＡＦ）演算など各種の演算を実施する演算手段として機能する。すなわち、ＣＰＵ４２は、上／下レバー３０や左／右ボタン３２その他の操作部から入力する指示信号に基づいてカメラ１０内の各回路の動作を制御し、例えば、レンズ駆動制御、撮影動作制御、画像処理制御、画像データの記録／再生処理制御、ストロボ発光制御、レリーズボタン１８Ａ〜１８Ｃの機能設定制御、機能表示部２２Ａ〜２２Ｃの表示制御、液晶モニタ２６の表示制御などを行う。
【００２２】
ＣＰＵ４２は、制御用のプログラムや各種データ等が格納されている図示せぬＲＯＭ（Ｒｅａｄ　Ｏｎｌｙ　Ｍｅｍｏｒｙ）及び各種の演算処理を行う作業用領域として使用する図示せぬＲＡＭ（Ｒａｎｄｏｍ　Ａｃｃｅｓｓ　Ｍｅｍｏｒｙ）を備えている。また、ＣＰＵ４２には不揮発性記憶手段であるＥＥＰＲＯＭ４４が接続されている。レリーズボタン１８Ａ〜１８Ｃに割り当てた機能の情報はＥＥＰＲＯＭ４４に格納される。ＥＥＰＲＯＭ４４に記憶された情報内容はカメラ１０の電源をＯＦＦしても保持される。ＣＰＵ４２は、ユーザ操作に基づいてＥＥＰＲＯＭ４４の情報の書き換え制御を行うとともに、ＥＥＰＲＯＭ４４内の情報に従ってレリーズボタン１８Ａ〜１８Ｃ押下時の動作制御及び機能表示部２２Ａ〜２２Ｃの表示制御を行う。
【００２３】
次に、上記の如く構成されたカメラ１０の動作について説明する。
【００２４】
第１の例として、フォーカス位置（ピントの合う被写体距離）を３種類設定して、３つのレリーズボタン１８Ａ〜１８Ｃにそれぞれ対応させる例を述べる。従来のＡＦカメラにおいては「ＡＦモード」に設定されていると、レリーズボタンの半押しでＡＦ及びＡＥを実行し、レリーズボタンを全押しするとＡＦの結果を基にフォーカス位置を合わせて撮影を実行するように制御される。
【００２５】
しかしながら、ＡＦ処理には少なからず時間が必要であり、特に映像信号を利用するＣＣＤＡＦ（コントラストＡＦ）を行うデジタルカメラでは、ＡＦに要する時間が比較的長く、シャッターチャンスを逃してしまうこともあり得る。その一方、「マニュアルフォーカス（ＭＦ）モード」でフォーカス位置を固定すれば、ＡＦ時間は必要なくなるが、ピントが合う距離も１つに固定されてしまい、いろいろな距離の被写体を即座に撮影できないという欠点がある。
【００２６】
そこで、本実施形態に係るカメラ１０では、図５に示すように、３つのレリーズボタン１８Ａ〜１８Ｃにそれぞれ「∞（無限遠）」、「５ｍ」、「１ｍ」のフォーカス位置による撮影動作を割り当てる。撮影者は、撮影時に被写体がおよそどのくらい距離にあるかを判断して、それに適するレリーズボタン１８Ａ、１８Ｂ、又は１８Ｃを押す。これにより、設定に係るフォーカス位置の撮影が実行される。
【００２７】
それぞれのレリーズボタン１８Ａ〜１８Ｃには、予めフォーカス位置が設定されているので、「ＭＦモード」と同様にＡＦ時間を必要とせず、シャッターチャンスを逃さずに撮影することが可能になる。なお、それぞれのレリーズボタン１８Ａ〜１８Ｃにどういうフォーカス位置を割り当てるかについては撮影者が自由に選択（設定）できるものとし、具体的なフォーカス位置も上記した「∞（無限遠）」、「５ｍ」、「１ｍ」の例に限定されず、ユーザが適宜に指定することができる。また、３つのレリーズボタン１８Ａ〜１８Ｃのうちの一つに「ＡＦモード」を割り当てることも可能である。
【００２８】
第２の例として、ストロボ発光条件をレリーズボタン１８Ａ〜１８Ｃに対応させる例を述べる。従来のＡＥカメラでは、被写体の明るさによってストロボを自動発光して撮影を行うものが知られている。また、画面（撮影画枠）全体の明るさだけでなく、画面内の明るさの分布を自動判定して、例えば、画面中心部が暗く、周辺部が明るいと逆光シーンと判断してストロボを自動発光して撮影を行うカメラも知られている。
【００２９】
ただし、シーンによっては、ストロボが発光して欲しいのに発光しない場合があったり、或いはその逆に、ストロボを発光させたくないのに自動的に発光してしまう場合もある。例えば、被写体がストロボ光の届かない距離にあるにもかかわらず、ＡＥの結果を基に「暗い」と判断してストロボを発光させたとしても、暗い写真が撮れるだけである。このようなシーンは、ストロボを発光禁止にしてシャッタースピードを長くして撮影することが望ましい。
【００３０】
そこで、本実施形態に係るカメラ１０では、図６に示すように、３つのレリーズボタン１８Ａ〜１８Ｃのうち２つのレリーズボタン１８Ａ、１８Ｂに、それぞれ「ストロボ発光禁止モード」、「強制発光モード」を割り当てる。撮影者は、被写体に応じてストロボ光の要／不要を判断して、それに適するレリーズボタン１８Ａ又は１８Ｂを押せばよい。これにより、設定に係るストロボモードで撮影が実行される。
【００３１】
かかる態様によれば、撮影者は別のボタンやメニュー画面でストロボ発光の設定をしなくても意図する写真を撮影することができる。なお、３つ目のレリーズボタン１８Ｃに「自動発光モード」を割り当ててもよい。
【００３２】
ここで、レリーズボタン１８Ａ〜１８Ｃに機能を割り当てる操作（レリーズボタン１８Ａ〜１８Ｃのカスタマイズ）の手順について説明する。
【００３３】
図７は、レリーズボタン１８Ａ〜１８Ｃのカスタマイズを行う際のユーザインターフェース画面の例を示す図である。カスタマイズ操作は以下の手順に従って行われる。
【００３４】
〔手順１〕まず、メニュー／ＯＫボタン３６を押して、図７（ａ）のように液晶モニタ２６にメニュー画面を表示させ、メニューの中から「レリーズカスタマイズ」を選択する。カーソルの移動は上／下レバー３０で行い、選択の確定（実行）はメニュー／ＯＫボタン３６で行う。この選択操作によってカメラ１０はカスタマイズモード（レリーズボタン１８Ａ〜１８Ｃの機能割り当てを行うモード）に入る。なお、カメラ１０にカスタマイズボタンなどの専用の操作手段を設けて、当該操作手段（カスタマイズボタンなど）の操作によってカスタマイズモードに移行してもよい。
【００３５】
〔手順２〕カスタマイズモードに入ると、液晶モニタ２６には、図７（ｂ）のような、カスタマイズ項目の一覧が表示される。ユーザは、この一覧表示の中からカスタマイズする項目を選ぶ。例えば、「ストロボ発光条件」を選ぶ。
【００３６】
〔手順３〕次に、図７（ｃ）に示すように、割り当てをするレリーズボタンの選択画面が表示され、ユーザはカスタマイズしようとするレリーズボタンを選択する。例えば、レリーズボタンＢ（１８Ｂ）を選択する。
【００３７】
〔手順４〕次に、図７（ｄ）のように、割り当て可能な機能（内容）の候補が表示される。ユーザは、表示された機能の中から希望する機能を選択する。例えば、「発光禁止」を選択する。
【００３８】
〔手順５〕割り当てるべき機能を選択すると、図７（ｅ）のように確認画面が表示される。ユーザが「ＹＥＳ」の指令を入力すると、指定に係るレリーズボタンについて、選択された機能の対応付け（割り当て）処理が実行され、ＥＥＰＲＯＭ４４内の機能設定情報が書き換えられる。
【００３９】
レリーズボタン１８Ａ〜１８Ｃに割り当てることができる機能は、図５及び図６で示した例に限定されない。図８乃至図１４に他の割り当て例を示す。図８で、ＡＦモードの違いをレリーズボタン１８Ａ、１８Ｂに対応させている。通常モードは、例えば、被写体距離が約８０ｃｍ〜無限遠の範囲で撮影が可能なモードである。マクロモードは、近距離撮影に適したモードであり、被写体距離が約２０ｃｍ〜８０ｃｍの範囲で撮影が可能となる。
図９では、シーンセレクトをレリーズボタン１８Ａ〜１８Ｃに対応させている。シーンセレクトは、人物（ポートレート）／風景／夜景／スポーツなど撮影シーンに適した設定を自動的に行うモードである。人物モードは、被写界深度を浅くて背景を綺麗にぼかし、立体感のある人物撮影を実現する。風景モードは、被写界深度を深くして近景から遠景までピントのあった写真を撮ることができる。夜景モードは、暗い被写体に適した露出制御により、美しい夕景写真や夜景写真を撮影できる。スポーツモードは、シャッタースピードを早くして、一瞬の動きを止めた躍動感のあるスポーツ写真を撮影できる。レリーズボタン１８Ａ〜１８Ｃについて、それぞれことなるシーンセレクトモードを割り当てることが可能である。
【００４０】
図１０では、圧縮率の違いをレリーズボタン１８Ａ〜１８Ｃに対応させる例が示されている。図１０によれば、各レリーズボタン１８Ａ〜１８Ｃはそれぞれ、標準的な圧縮率（例えば、１／８ＪＰＥＧ）、高画質（例えば、１／４ＪＰＥＧ）、非圧縮に対応している。
【００４１】
図１１では、画像サイズ（ピクセルサイズ）の違い、図１２ではカメラ感度（ＩＳＯ感度）の違い、図１３ではホワイトバランスの違いをレリーズボタン１８Ａ〜１８Ｃに対応させた例が示されている。図５乃至図１３では、レリーズボタン１８Ａ、１８Ｂ又は１８Ｃの押下によって、１枚の静止画を記録する「ワンショット撮影」を行う例を述べたが、静止画と動画の記録が可能なデジタルカメラの場合については、図１４に示すように、静止画と動画の記録モードの違いをレリーズボタン１８Ａ、１８Ｂに割り当てることも可能である。つまり、図１４においては、レリーズボタン１８Ａを押下すると静止画の撮影が実行され、レリーズボタン１８Ｂを押下すると動画の撮影が実行される。
【００４２】
上述したように、カメラ１０の本体１１に設けられた複数のレリーズボタン１８Ａ〜１８Ｃについて、それぞれ異なる機能（撮影モードや撮影条件）を予め設定しておくことによって、撮影者がわざわざメニュー画面などから設定を替えなくても、レリーズボタン１８Ａ、１８Ｂ又は１８Ｃの何れかを押下するだけで、意図する写真をスピーディに撮影することができる。
【００４３】
上記実施の形態では、３つのレリーズボタン１８Ａ〜１８Ｃを設けたが、本発明の実施に際してレリーズボタンの個数は３つに限定されず、２つ以上適宜の個数を設けることが可能である。
【００４４】
また、上記実施の形態では、デジタルカメラを例示したが、本発明の適用範囲はデジタルカメラに限定されず、銀塩カメラなど、記録形式を問わず、他のカメラについても適用できる。例えば、図５、図６、図８及び図９で示した機能割り当て例については、銀塩カメラにも同様に適用できる。
【００４５】
更に、上記実施の形態では、液晶モニタ２６を利用してレリーズボタン１８Ａ〜１８Ｃのカスタマイズ操作を行ったが、本発明の実施に際しては、機能表示部２２Ａ〜２２Ｃの表示を利用してレリーズボタン１８Ａ〜１８Ｃの機能を選択する操作を行う態様も可能である。
【００４６】
更にまた、上記実施の形態では、ユーザ自身がレリーズボタン１８Ａ〜１８Ｃの機能を自由に設定できる構成にしたが、図５、図６、図８乃至図１４で例示した機能の割り当てのうち、何れかの割り当て例が予めセットされたカメラを実現することも可能である。
【００４７】
【発明の効果】
以上説明したように本発明に係るカメラによれば、複数のレリーズボタンについてそれぞれ異なる機能（撮影モード、撮影条件）を持たせる構成にしたので、撮影者はシャッターチャンスを逃すことなく、或いは面倒なモード設定や条件設定などを行うことなく、意図する写真をスピーディに望みの条件で撮影することができる。
【図面の簡単な説明】
【図１】本発明の実施形態に係るカメラの正面図
【図２】図１に示したカメラの上面図
【図３】本例のカメラ１０の背面図
【図４】複数のレリーズボタンに対する機能の割り当てを実現する手段を例示したカメラの要部ブロック図
【図５】複数のレリーズボタンにそれぞれ異なるフォーカス位置を割り当てた例を示す図表
【図６】複数のレリーズボタンにそれぞれ異なるストロボ発光条件を割り当てた例を示す図表
【図７】レリーズボタンのカスタマイズ操作の手順を示す画面遷移図
【図８】複数のレリーズボタンにそれぞれ異なるＡＦモードを割り当てた例を示す図表
【図９】複数のレリーズボタンにそれぞれ異なるシーンセレクトを割り当てた例を示す図表
【図１０】複数のレリーズボタンにそれぞれ異なる圧縮率を割り当てた例を示す図表
【図１１】複数のレリーズボタンにそれぞれ異なる画像サイズを割り当てた例を示す図表
【図１２】複数のレリーズボタンにそれぞれ異なるＩＳＯ感度を割り当てた例を示す図表
【図１３】複数のレリーズボタンにそれぞれ異なるホワイトバランスを割り当てた例を示す図表
【図１４】複数のレリーズボタンにそれぞれ異なる静止画又は動画の記録モードを割り当てた例を示す図表
【符号の説明】
１０…カメラ、１８Ａ，１８Ｂ，１８Ｃ…レリーズボタン、２２Ａ，２２Ｂ，２２Ｃ…機能表示部、２６…液晶モニタ、３０…上／下レバー、３２…左／右ボタン、３４…キャンセルボタン、３６…メニュー／ＯＫボタン、４２…ＣＰＵ、４４…ＥＥＰＲＯＭ
【図１】
2004053722.tif 000003
【図２】
2004053722.tif 000004
【図３】
2004053722.tif 000005
【図４】
2004053722.tif 000006
【図５】
2004053722.tif 000007
【図６】
2004053722.tif 000008
【図７】
2004053722.tif 000009
【図８】
2004053722.tif 000010
【図９】
2004053722.tif 000011
【図１０】
2004053722.tif 000012
【図１１】
2004053722.tif 000013
【図１２】
2004053722.tif 000014
【図１３】
2004053722.tif 000015
【図１４】
2004053722.tif 000016